(57)【要約】【課題】移植機に備えられる散布装置において、本体部を支持する構成の取り回しを容易にする。【解決手段】  移植機に備えられる散布装置は、圃場に農業資材を散布する本体部Ｃと、移植機に取り付けられ、本体部Ｃを支持する支持部Ｅと、を備える。支持部Ｅは、移植機の機体横方向に延び、本体部Ｃを支持する主支持部材７０と、移植機の植付け装置に取り付けられ、主支持部材７０を支持する２つの副支持部材８０、９０と、を備える。【選択図】図５
2020110111.tif 000002
【特許請求の範囲】
【請求項１】
移植機に備えられる散布装置であって、
圃場に農業資材を散布する本体部と、
前記移植機に取り付けられ、前記本体部を支持する支持部と、を備え、
前記支持部は、前記移植機の機体横方向に延び、前記本体部を支持する主支持部材と、前記移植機の植付け装置に取り付けられ、前記主支持部材を支持する２つの副支持部材と、を備える散布装置。
【請求項２】
前記主支持部材は、前記本体部を取り付け可能な複数の取付部を備えており、複数の前記取付部の前記移植機の機体横方向の位置が互いに異なる請求項１に記載の散布装置。
【請求項３】
複数の前記取付部のうちの第１取付部は、前記主支持部材における前記移植機の機体横方向の中央部に設けられており、
複数の前記取付部のうちの第２取付部は、前記主支持部材における前記移植機の機体横方向の端部に設けられている請求項２に記載の散布装置。
【請求項４】
複数の前記取付部のうちの第３取付部は、前記主支持部材における前記移植機の機体横方向の前記第１取付部と前記第２取付部との中間部に設けられている請求項３に記載の散布装置。
【請求項５】
２つの前記副支持部材は、棒状の部材であって、前記主支持部材の機体横方向の端部にそれぞれ取り付けられており、機体前後方向の曲げ形状が互いに異なる請求項１から４のいずれか１項に記載の散布装置。
【請求項６】
２つの前記副支持部材は、前記移植機の前記植付け装置における、一対の植付けアームを両端に備えた回転ケースを回転駆動可能に支持する伝動ケースに支持されており、
２つの前記副支持部材のうちの一方が、隣接する２つの前記伝動ケースの一方に支持され、２つの前記副支持部材の他方が、隣接する２つの前記伝動ケースの他方に支持されている請求項５に記載の散布装置。
【請求項７】
前記主支持部材は、前記本体部を引っ掛けて支持させることが可能な仮支持部位を備える請求項１から６のいずれか１項に記載の散布装置。
【発明の詳細な説明】
【技術分野】
【０００１】
本発明は、移植機に備えられる散布装置に関する。
【背景技術】
【０００２】
例えば、特許文献１には、２つの薬剤散布装置が備えられた田植機が記載されている。２つの薬剤散布装置はそれぞれ、背面視で逆Ｕ字状のフレームにより支持されている。
【先行技術文献】
【特許文献】
【０００３】
【特許文献１】特開２０１７−６３６８１号公報
【発明の概要】
【発明が解決しようとする課題】
【０００４】
特許文献１に記載された田植機では、主苗載台側の薬剤散布装置を支持するフレームは、逆Ｕ字状の一つながりのパイプフレームであるため、大きな嵩張る部品であり、製造時や分解整備時に部品としての取り回しが悪く不便である。また、副苗載台側の薬剤散布装置を支持するフレームは、薬剤散布装置の位置変更を可能とするために、回動可能に構成されている。このフレームは複数の部材から構成されているが、分解することは想定されておらず、主苗載台側のフレーム同様に部品としての取り回しが悪い。
【０００５】
上述した実情に鑑みて、本発明の目的は、移植機に備えられる散布装置において、本体部を支持する構成の取り回しを容易にする手段を提供することにある。
【課題を解決するための手段】
【０００６】
本発明の散布装置は、移植機に備えられる散布装置であって、圃場に農業資材を散布する本体部と、前記移植機に取り付けられ、前記本体部を支持する支持部と、を備え、前記支持部は、前記移植機の機体横方向に延び、前記本体部を支持する主支持部材と、前記移植機の植付け装置に取り付けられ、前記主支持部材を支持する２つの副支持部材と、を備えることを特徴とする。
【０００７】
この特徴構成によれば、本体部を支持する支持部が、主支持部材及び２つの副支持部材の３つの部材により構成されるので、散布装置の製造時や分解整備時に支持部の取り回しが容易となる。特に、これら３つの部材を分解組み立て自在に構成すると、保管や運搬の際に支持部を嵩張らない状態にすることができ、支持部の取り回しが更に容易になり好ましい。
【０００８】
本発明においては、前記主支持部材は、前記本体部を取り付け可能な複数の取付部を備えており、複数の前記取付部の前記移植機の機体横方向の位置が互いに異なることを特徴とする。
【０００９】
この特徴構成によれば、主支持部材に対して複数の位置に本体部を取り付けることができるので、移植機における支持部のレイアウトに応じて、本体部を、農業資材を散布するのに適した位置に配置することができる。例えば、条数の異なる複数種類の移植機に一種類の支持部にて対応することが可能となる。また、移植機において支持部が機体左右方向で偏った位置に配置されたとしても、複数の取付部の何れかに本体部を取り付けることで、散布装置を望ましい場所に配置することができる。換言すれば、移植機における支持部の配置の自由度を高めることができる。
【００１０】
本発明においては、複数の前記取付部のうちの第１取付部は、前記主支持部材における前記移植機の機体横方向の中央部に設けられており、複数の前記取付部のうちの第２取付部は、前記主支持部材における前記移植機の機体横方向の端部に設けられていることを特徴とする。
【００１１】
この特徴構成によれば、本体部を、主支持部材の第１取付部又は第２取付部に選択的に取り付けることができるので、移植機における支持部のレイアウトに応じて、本体部を、農業資材を散布するのに適した位置に配置することができる。例えば、支持部が移植機の機体横方向の中央に位置する場合には、本体部を第１取付部に取り付けることで、本体部を移植機の機体横方向の中央に配置することができる。例えば、支持部が移植機の機体横方向の中央から偏った位置に位置する場合には、本体部を第２取付部に取り付けることで、本体部を移植機の機体横方向の中央寄りに配置することができる。
【００１２】
本発明においては、複数の前記取付部のうちの第３取付部は、前記主支持部材における前記移植機の機体横方向の前記第１取付部と前記第２取付部との中間部に設けられていることを特徴とする。
【００１３】
この特徴構成によれば、主支持部材が、第１取付部、第２取付部に加えて第３取付部を備えることになるので、本体部を更に適切な位置に配置することが可能となる。
【００１４】
本発明においては、２つの前記副支持部材は、棒状の部材であって、前記主支持部材の機体横方向の端部にそれぞれ取り付けられており、機体前後方向の曲げ形状が互いに異なることを特徴とする。
【００１５】
この特徴構成によれば、移植機における散布装置を配置する場所の状態に応じて２つの副支持部材の配置を入れ替えて、移植機における他の機構と散布装置との干渉を回避することができる。
【００１６】
本発明においては、２つの前記副支持部材は、前記移植機の前記植付け装置における、一対の植付けアームを両端に備えた回転ケースを回転駆動可能に支持する伝動ケースに支持されており、
２つの前記副支持部材のうちの一方が、隣接する２つの前記伝動ケースの一方に支持され、２つの前記副支持部材の他方が、隣接する２つの前記伝動ケースの他方に支持されていることを特徴とする。
【００１７】
この特徴構成によれば、２つの副支持部材が隣接する２つの伝動ケースに支持されているので、支持部が頑丈な伝動ケースに支持されて本体部に加わる振動を低減することができる。
【００１８】
本発明においては、前記主支持部材は、前記本体部を引っ掛けて支持させることが可能な仮支持部位を備えることを特徴とする。
【００１９】
この特徴構成によれば、本体部を主支持部材に対して着脱する際に本体部を仮支持部位に支持させることができるので、本体部の着脱作業が容易になり好ましい。
【図面の簡単な説明】
【００２０】
【図１】乗用型田植機の全体を示す左側面図である。
【図２】乗用型田植機の全体を示す平面図である。
【図３】散布装置の側面図である。
【図４】散布装置と伝動ケースとの接続部を示す後面図である。
【図５】散布装置の斜視分解図である。
【図６】散布装置を８条植えの苗植付け装置に取り付けた状態を示す後面図である。
【図７】散布装置を４条植えの苗植付け装置に取り付けた状態を示す後面図である。
【図８】散布装置を６条植えの苗植付け装置に取り付けた状態を示す後面図である。
【図９】散布装置を１０条植えの苗植付け装置に取り付けた状態を示す後面図である。
【図１０】散布装置を５条植えの苗植付け装置に取り付けた状態を示す後面図である。
【発明を実施するための形態】
【００２１】
以下、本発明の実施の形態を、移植機の一例としての乗用型田植機に適用した場合について、図面に基づいて説明する。
【００２２】
〔乗用型田植機の全体の構成について〕
以下の説明では、乗用型田植機の機体１に関し、図１、２に示される矢印Ｆの方向を「機体前方」、矢印Ｂの方向を「機体後方」、図２に示される矢印Ｒの方向を「機体右方」、矢印Ｌの方向を「機体左方」とする。
【００２３】
図１、２に示されるように、乗用型田植機は、走行装置としての右及び左の前車輪２が操向可能かつ駆動可能に装備され、走行装置としての右及び左の後車輪３が駆動可能に装備された機体１を備えている。機体１の前部に、原動機としてのエンジン４を有する原動部５が形成されている。機体１の後部に、運転座席６、及び、前車輪２を操向操作するステアリングホィール７を備える搭乗型の運転部８が形成されている。
【００２４】
機体１の後部にリンク機構９を介して植付け装置としての苗植付け装置２０が連結されている。苗植付け装置２０は、リンク機構９の機体１に対する上下揺動作動によって下降作業状態と上昇非作業状態とに亘って昇降操作される。リンク機構９の機体１に対する揺動操作は、油圧式の昇降シリンダ１６の伸縮作動によって行われる。機体１の前部の左右両横側に予備苗貯留装置１０が設けられている。左右の予備苗貯留装置１０のそれぞれは、３つの予備苗載台１１を備えている。３つの予備苗載台１１は、機体１の前後方向に沿う方向に一列に並んだ使用のための伸展状態と、上下３段に重なり合った折り畳み状態とに切り替え可能になっている。左の予備苗貯留装置１０の支柱１２と、右の予備苗貯留装置１０の支柱１２とに亘って衛星航法用のアンテナユニット１３が支持されている。機体１の後部に施肥装置１４が設けられている。苗植付け装置２０による苗植付けが行われるとき、植付苗の近くに肥料を供給することが施肥装置１４によって可能になっている。
【００２５】
〔苗植付け装置２０の構成について〕
苗植付け装置２０は、図１、２に示されるように、機体１の横幅方向に間隔を開けて並ぶ４つの伝動ケース２１などによって構成された植付機体２０Ａを備えている。４つの伝動ケース２１のそれぞれの後部の両横側に苗植付機構２２が設けられている。本実施形態では、苗植付け装置２０に合計８つの苗植付機構２２が設けられている。すなわち本実施形態に係る苗植付け装置２０は、８条植えの装置である。８つの苗植付機構２２のそれぞれは、図２に示されように、伝動ケース２１に回転可能に支持された回転ケース２２ａ、及び、回転ケース２２ａの両端部分のそれぞれに回転可能に支持された植付アーム２２ｂを備えている。一対の植付アーム２２ｂのそれぞれに植付爪が備えられている。
【００２６】
植付機体２０Ａの前部の上方に苗載台２３が設けられている。図２に示されるように、苗載台２３に、８つの苗植付機構２２のそれぞれに１つずつ対応させて設けられた８つの苗載置部２３ａが形成されている。すなわち、８つの苗植付機構２２に供給する苗を苗載台２３に植付機体２０Ａの横幅方向に並べて載置して貯留しておくようになっている。８つの苗載置部２３ａのそれぞれに苗縦送りベルト２４が設けられている。
【００２７】
苗植付け装置２０が下降作業状態に下降されると共に駆動状態に操作されると、植付機体２０Ａの前部に支持されているフィードケース２５（図１参照）にエンジン４から動力が伝達され、フィードケース２５から４つの伝動ケース２１のそれぞれに入力され、８つの苗植付機構２２のそれぞれが伝動ケース２１の動力によって駆動されて苗載台２３の下端側と田面との間で苗植付けのための回転運動を行う。苗植付機構２２が回転運動すると、一対の植付アーム２２ｂの植付爪が交互に苗載台２３の下端側に形成されている苗取出口と田面との間を上下に回転移動し、一対の植付アーム２２ｂのそれぞれの植付爪が苗取出口において苗載台２３の苗から植付用苗を取り出し、取り出した植付用苗を下降搬送して田面に植え付ける。
【００２８】
苗載台２３とフィードケース２５とに亘って設けられている苗横送り機構（図示せず）がフィードケース２５の動力によって苗植付機構２２の回転運動に連動させて駆動され、苗載台２３が苗横送り機構によって苗植付機構２２の回転運動に連動させて植付機体２０Ａの横幅方向に往復移送される。これにより、８つの苗載置部２３ａのそれぞれに載置されている苗が苗植付機構２２に対して横方向に往復移送され、８つの苗植付機構２２のそれぞれが苗載置部２３ａに載置されている苗の横幅方向での一端側から他端側に向けて順次に植付用苗を取り出していく。
【００２９】
苗載台２３が左右の横移送でのストロークエンドに到達すると、苗載台２３とフィードケース２５とに亘って設けられている苗縦送り機構（図示せず）がフィードケース２５の動力によって駆動され、８つの苗載置部２３ａのそれぞれの苗縦送りベルト２４が苗縦送り機構（図示せず）によって駆動される。すなわち、苗載台２３が左右の横移送でのストロークエンドに到達する都度、８つの苗載置部２３ａのそれぞれに載置されている苗が苗縦送りベルト２４によって苗植付機構２２に向けて、苗植付機構２２によって取り出される植付用苗の苗縦方向での長さに対応する分だけ縦送りされる。
【００３０】
苗植付け装置２０においては、下降作業状態に下降された状態で機体１が走行されることにより、エンジン４からフィードケース２５に伝達される動力によって８つの苗植付機構２２、苗載台２３及び苗縦送りベルト２４が駆動され、８つの苗植付機構２２によって８条植えの苗植え付けが行われる。８つの苗植付機構２２のそれぞれによる１条分の苗植付けは、一対の植付爪の交互の苗植付けによって、設定された株間で行われる。株間とはすなわち、機体１の進行方向での植付け間隔である。
【００３１】
〔薬剤散布装置の構成について〕
図１、図２に示されるように、苗植付け装置２０の後部に、薬剤散布装置Ａ（散布装置の一例）が備えられている。薬剤散布装置Ａは、圃場に除草剤等の薬剤（農業資材の一例）を散布する装置である。薬剤散布装置Ａには、圃場に薬剤を散布する本体部Ｃと、乗用型田植機の苗植付け装置２０に取り付けられ、本体部Ｃを支持する支持部Ｅと、が備えられている。
【００３２】
図３、図５に示されるように、本体部Ｃには、本体ケース３０と、本体ケース３０の上部に連結され、薬剤を貯留する薬剤ホッパー４０と、が備えられている。本体ケース３０の内部には、薬剤ホッパー４０に貯留された薬剤を繰り出す繰出部５０と、繰出部５０で繰り出された薬剤を斜め後ろ下方に向けて左右方向に拡散させながら圃場に散布する拡散部６０と、が備えられている。
【００３３】
図３、図５に示されるように、本体ケース３０における後部に、ボルト３１によりブラケット３２が取り付けられている。左右方向の中央部におけるブラケット３２の上端部３２ａは、主支持部材７０の上端部７１（後述）と係合可能なように、左右方向に直交する平面による断面が逆Ｕ字状に形成されている。ブラケット３２の上部には、２つのボルト穴３２ｂが設けられている。
【００３４】
繰出部５０は、作動ごとに設定量の薬剤を繰り出すように構成されている。拡散部６０には、電動モータで回転駆動される拡散羽根６１と、取付け角度が３段階に変更可能な拡散板６２と、が備えられている。拡散板６２の取付け角度を変更することにより、薬剤の左右方向の散布幅を、第１散布幅Ｗ１と、第１散布幅Ｗ１より大きい第２散布幅Ｗ２と、第２散布幅Ｗ２より大きい第３散布幅Ｗ３と、に変更が可能である。
【００３５】
薬剤散布装置Ａは、苗植付け装置２０によって設定数の株が植え付けられる毎に、繰出部５０と拡散部６０とを設定時間だけ駆動して薬剤を散布するように制御される。すなわち、植付作動時に、圃場に植え付けられる苗の数が設定数に達する毎に、薬剤散布装置Ａが稼働して設定量の薬剤が散布される。これにより、苗の植え付けが行われた圃場面に対して薬剤散布装置Ａにより所定量の薬剤の散布が行われる。
【００３６】
〔支持部の構成について〕
図３、図５に示されるように、支持部Ｅは、主支持部材７０と、第１副支持部材８０（副支持部材の一例）と、第２副支持部材９０（副支持部材の一例）と、を備える。図４に示されるように、主支持部材７０の右端部に第１副支持部材８０がボルト８１によって着脱可能に取り付けられている。主支持部材７０の左端部に第２副支持部材９０がボルト９１によって着脱可能に取り付けられている。
【００３７】
主支持部材７０は、左右方向（機体横方向）に延びる板状の部材である。左右方向の中央部における主支持部材７０の上端部７１（仮支持部位の一例）は、ブラケット３２の上端部３２ａと係合可能なように、左右方向に直交する平面による断面が逆Ｕ字状に形成されている。本体部Ｃを主支持部材７０に取り付ける際に、本体部Ｃのブラケット３２の上端部３２ａを、主支持部材７０の上端部７１に引っ掛けることで、本体部Ｃを主支持部材７０に仮に支持させることができる。
【００３８】
主支持部材７０の下部には、ボルト穴７２、７３、ボルト穴７４、７５、ボルト穴７６、７７が設けられている。
【００３９】
第１副支持部材８０及び第２副支持部材９０は、棒状の部材（本実施形態では、丸パイプ）を曲げて形成されている。第１副支持部材８０は、その上端部から下方に延びる上部８０ａと、上部８０ａの下に接続され斜め後ろ下方に延びる第１中間部８０ｂと、第１中間部８０ｂの下に接続され下方に延びる第２中間部８０ｃと、第２中間部８０ｃの下に接続され前方に延びる下部８０ｄと、を備えている。同様に第２副支持部材９０は、その上端部から下方に延びる上部９０ａと、上部９０ａの下に接続され斜め後ろ下方に延びる第１中間部９０ｂと、第１中間部９０ｂの下に接続され下方に延びる第２中間部９０ｃと、第２中間部９０ｃの下に接続され前方に延びる下部９０ｄと、と備えている。
【００４０】
図３、図５に示されるように、第１副支持部材８０の第１中間部８０ｂは、第２副支持部材９０の第１中間部９０ｂよりも上に位置している。換言すれば、第１副支持部材８０と第２副支持部材９０とは、機体前後方向の曲げ形状が互いに異なっている。図３に示されるように、第１副支持部材８０の第１中間部８０ｂは、本体部Ｃの下部よりも下に位置している。第２副支持部材９０の第１中間部９０ｂは、本体部Ｃの下部よりも上に位置している。
【００４１】
第２副支持部材９０の下部９０ｄの後端部に、板状のブラケット９０ｅが溶接により取り付けられている。図４に示されるように、ブラケット９０ｅが、伝動ケース２１の上面に設けられたフランジ部２１ａにボルト２１ｂによって着脱可能に取り付けられている。同様に、第１副支持部材８０の下部８０ｄの後端部に、板状のブラケット８０ｅが溶接により取り付けられている。ブラケット８０ｅが、伝動ケース２１の上面に設けられたフランジ部２１ａにボルト２１ｂによって着脱可能に取り付けられている。以上のようにして、第１副支持部材８０及び第２副支持部材９０が伝動ケース２１に支持されている。
【００４２】
〔主支持部材への本体部の取り付けについて〕
本体部Ｃのブラケット３２が、ボルト３２ｃによって、主支持部材７０に着脱可能に取り付けられる。詳しくは、２本のボルト３２ｃがブラケット３２のボルト穴３２ｂに挿通されて、主支持部材７０のボルト穴７２、７３、又はボルト穴７４、７５、又はボルト穴７６、７７に螺合されて、本体部Ｃが主支持部材７０に取り付けられる。
【００４３】
２本のボルト３２ｃが主支持部材７０のボルト穴７２、７３に螺合される場合、図５、図６、図７に示されるように、本体部Ｃが主支持部材７０の中央部に位置する。２本のボルト３２ｃが主支持部材７０のボルト穴７６、７７に螺合される場合、図８、図９に示されるように、本体部Ｃが主支持部材７０の左端部に位置する。２本のボルト３２ｃが主支持部材７０のボルト穴７４、７５に螺合される場合、図１０に示されるように、本体部Ｃが主支持部材７０の中央から左寄りの位置に位置する。
【００４４】
換言すれば、主支持部材７０は、本体部Ｃを取り付け可能な、ボルト穴７２、７３からなる第１取付部Ｐ１、ボルト穴７６、７７からなる第２取付部Ｐ２、ボルト穴７４、７５からなる第３取付部Ｐ３を備えている。第１取付部Ｐ１、第２取付部Ｐ２、第３取付部Ｐ３は、特許請求の範囲に記載された「取付部」の一例である。第１取付部Ｐ１は、主支持部材７０における左右方向（機体横方向）の中央部に設けられている。第２取付部Ｐ２は、主支持部材７０における左右方向の左端部に設けられている。第３取付部Ｐ３は、主支持部材７０における左右方向の第１取付部Ｐ１と第２取付部Ｐ２との中間部に設けられている。
【００４５】
〔条数が異なる苗植付け装置への薬剤散布装置の取り付けについて〕
以下、図６〜図１０を参照しながら、８条、４条、６条、１０条、及び５条植えの苗植付け装置２０に薬剤散布装置Ａを取り付けた状態について説明する。
【００４６】
図６は、薬剤散布装置Ａを８条植えの苗植付け装置２０に取り付けた状態における、薬剤散布装置Ａと伝動ケース２１及び植付アーム２２ｂとの位置関係を示す後面図である。８条植えの苗植付け装置２０は、４つの伝動ケース２１Ａ、２１Ｂ、２１Ｃ、２１Ｄと、８つの植付アーム２２ｂとを備えている。
【００４７】
支持部Ｅの第１副支持部材８０は、主支持部材７０の右端部に取り付けられ、右から２番目の伝動ケース２１Ｂに支持されている。支持部Ｅの第２副支持部材９０は、主支持部材７０の左端部に取り付けられ、右から３番目の伝動ケース２１Ｃに支持されている。換言すれば、支持部Ｅは苗植付け装置２０の左右方向の中央部に配置されている。本体部Ｃは、主支持部材７０の第１取付部Ｐ１に取り付けられて、主支持部材７０における左右方向の中央部に配置されている。これにより、本体部Ｃは苗植付け装置２０の左右方向における中央部に配置されている。
【００４８】
薬剤散布装置Ａの拡散板６２の取り付け角度を調節して、散布幅を最大の第３散布幅Ｗ３とすることで、１台の薬剤散布装置Ａにより、苗が植え付けられた８条の全体に薬剤を散布することができる。
【００４９】
図７は、薬剤散布装置Ａを４条植えの苗植付け装置２０に取り付けた状態における、薬剤散布装置Ａと伝動ケース２１及び植付アーム２２ｂとの位置関係を示す後面図である。４条植えの苗植付け装置２０は、２つの伝動ケース２１Ａ、２１Ｂと、４つの植付アーム２２ｂとを備えている。
【００５０】
支持部Ｅの第１副支持部材８０は、主支持部材７０の右端部に取り付けられ、右側の伝動ケース２１Ａに支持されている。支持部Ｅの第２副支持部材９０は、主支持部材７０の左端部に取り付けられ、左側の伝動ケース２１Ｂに支持されている。換言すれば、支持部Ｅは苗植付け装置２０の左右方向の中央部に配置されている。本体部Ｃは、主支持部材７０の第１取付部Ｐ１に取り付けられて、主支持部材７０における左右方向の中央部に配置されている。これにより、本体部Ｃは苗植付け装置２０の左右方向における中央部に配置されている。
【００５１】
薬剤散布装置Ａの拡散板６２の取り付け角度を調節して、散布幅を最小の第１散布幅Ｗ１とすることで、１台の薬剤散布装置Ａにより、苗が植え付けられた４条の全体に薬剤を散布することができる。
【００５２】
図８は、薬剤散布装置Ａを６条植えの苗植付け装置２０に取り付けた状態における、薬剤散布装置Ａと伝動ケース２１及び植付アーム２２ｂとの位置関係を示す後面図である。６条植えの苗植付け装置２０は、３つの伝動ケース２１Ａ、２１Ｂ、２１Ｃと、６つの植付アーム２２ｂとを備えている。
【００５３】
６条植えの場合、上述の８条及び４条植えの場合と異なり、支持部Ｅの第１副支持部材８０は、主支持部材７０の左端部に取り付けられる。第１副支持部材８０は、中央の伝動ケース２１Ｂに支持される。支持部Ｅの第２副支持部材９０は、主支持部材７０の右端部に取り付けられ、右側の伝動ケース２１Ａに支持されている。換言すれば、支持部Ｅは苗植付け装置２０における左右方向の右側寄りに配置されている。本体部Ｃは、主支持部材７０の第２取付部Ｐ２に取り付けられて、主支持部材７０における左右方向の左端部に配置されている。これにより、本体部Ｃは苗植付け装置２０の左右方向における中央部に配置されている。
【００５４】
薬剤散布装置Ａの拡散板６２の取り付け角度を調節して、散布幅を中間の第２散布幅Ｗ２とすることで、１台の薬剤散布装置Ａにより、苗が植え付けられた６条の全体に薬剤を散布することができる。
【００５５】
図９は、薬剤散布装置Ａを１０条植えの苗植付け装置２０に取り付けた状態における、薬剤散布装置Ａと伝動ケース２１及び植付アーム２２ｂとの位置関係を示す後面図である。１０条植えの苗植付け装置２０は、５つの伝動ケース２１Ａ、２１Ｂ、２１Ｃ、２１Ｄ、２１Ｅと、１０個の植付アーム２２ｂと、を備えている。
【００５６】
１０条植えの場合、上述の８条及び４条植えの場合と異なり、支持部Ｅの第１副支持部材８０は、主支持部材７０の左端部に取り付けられる。第１副支持部材８０は、中央の伝動ケース２１Ｃに支持される。支持部Ｅの第２副支持部材９０は、主支持部材７０の右端部に取り付けられ、右から２番目の伝動ケース２１Ｂに支持されている。換言すれば、支持部Ｅは苗植付け装置２０における左右方向の右側寄りに配置されている。本体部Ｃは、主支持部材７０の第２取付部Ｐ２に取り付けられて、主支持部材７０における左右方向の左端部に配置されている。これにより、本体部Ｃは苗植付け装置２０の左右方向における中央部に配置されている。
【００５７】
薬剤散布装置Ａの拡散板６２の取り付け角度を調節して、散布幅を最大の第３散布幅Ｗ３とすることで、１台の薬剤散布装置Ａにより、苗が植え付けられた１０条の全体に薬剤を散布することができる。
【００５８】
図１０は、薬剤散布装置Ａを５条植えの苗植付け装置２０に取り付けた状態における、薬剤散布装置Ａと伝動ケース２１及び植付アーム２２ｂとの位置関係を示す後面図である。５条植えの苗植付け装置２０は、３つの伝動ケース２１Ａ、２１Ｂ、２１Ｃと、５個の植付アーム２２ｂとを備えている。中央の伝動ケース２１Ｂには、１つの植付アーム２２ｂが備えられている。
【００５９】
５条植えの場合、上述の８条及び４条植えの場合と異なり、支持部Ｅの第１副支持部材８０は、主支持部材７０の左端部に取り付けられる。第１副支持部材８０は、中央の伝動ケース２１Ｂに支持される。支持部Ｅの第２副支持部材９０は、主支持部材７０の右端部に取り付けられ、右側の伝動ケース２１Ａに支持されている。換言すれば、支持部Ｅは苗植付け装置２０における左右方向の右側寄りに配置されている。本体部Ｃは、主支持部材７０の第３取付部Ｐ３に取り付けられて、主支持部材７０における左右方向の中央から左寄りの位置に配置されている。これにより、本体部Ｃは苗植付け装置２０の左右方向における中央部に配置されている。
【００６０】
薬剤散布装置Ａの拡散板６２の取り付け角度を調節して、散布幅を最小の第１散布幅Ｗ１とすることで、１台の薬剤散布装置Ａにより、苗が植え付けられた１０条の全体に薬剤を散布することができる。
【００６１】
図８、図９、図１０に示されるように、６条植え、１０条植え、５条植えの場合には、本体部Ｃと左側の副支持部材とが後面視で重なる状態となる。主支持部材７０の左端部に第２副支持部材９０が取り付けられている場合には、第２副支持部材９０の第１中間部９０ｂと本体部Ｃの下部とが接触・干渉してしまう。上述の通り、６条植え、１０条植え、５条植えの場合には主支持部材７０の左端部には第１副支持部材８０が取り付けられているので、第１副支持部材８０の第１中間部８０ｂが本体部Ｃの下部よりも下方に位置し、本体部Ｃと第１副支持部材８０との接触・干渉が回避されている。
【００６２】
以上述べたとおり、本実施形態では、主支持部材７０が３つの取付部（第１取付部Ｐ１、第２取付部Ｐ２、第３取付部Ｐ３）を備えることにより、８条、４条、６条、１０条、及び５条植えの苗植付け装置２０において、薬剤散布装置Ａを苗植付け装置２０における左右方向の中央部に配置することができ、１台の薬剤散布装置Ａにて苗植付け装置２０が苗を植え付ける条の全体に薬剤を散布することができる。
【００６３】
〔他の実施形態〕
〔１〕上記実施形態では、主支持部材７０の右端部に第１副支持部材８０が取り付けられ、主支持部材７０の左端部に第２副支持部材９０が取り付けられる例が説明された。８条植え（図６）、４条植え（図７）の苗植付け装置２０の場合、本体部Ｃは第１副支持部材８０と第２副支持部材９０との間に位置し、互いに接触・干渉しない位置にある。そのため、第１副支持部材８０と第２副支持部材９０の配置は左右逆であってもよい。
【００６４】
なお、８条植えの苗植付け装置２０が、主苗載せ台と、主苗載せ台に対して移動可能な副苗載せ台を備え、主苗載せ台と副苗載せ台とが左右方向に並んで連結された作業状態と、主苗載せ台から副苗載せ台が分離して作業状態よりも左右幅が縮小された収納状態と、の間で状態変更可能に構成される場合がある。この場合は、収納状態において副苗載せ台と支持部Ｅとが干渉しないように、副苗載せ台が位置する側（例えば、左側）に第２副支持部材９０を配置すると好適である。
【００６５】
また上記実施形態では、互いに形状が異なる第１副支持部材８０と第２副支持部材９０とを支持部Ｅが備える例が説明されたが、支持部Ｅが同じ形状の２つの副支持部材を備えてもよい。例えば、支持部Ｅが２つの第１副支持部材８０を備えてもよい。
【００６６】
〔２〕上記実施形態では、主支持部材７０が３つの取付部（第１取付部Ｐ１、第２取付部Ｐ２、第３取付部Ｐ３）を備える例が説明されたが、取付部の数は１つ又は２つでもよいし、４つ以上でもよい。
【００６７】
〔３〕上記実施形態では、第２取付部Ｐ２及び第３取付部Ｐ３は第１取付部Ｐ１に対して左側に設けられたが、第１取付部Ｐ１に対して右側に設けられてもよいし、第１取付部Ｐ１の左右方向両側に設けられてもよい。
【００６８】
〔４〕上記実施形態では、第１副支持部材８０及び第２副支持部材９０が丸パイプである例が説明されたが、形状はこれに限られず、角パイプでもよいし、中実の丸棒又は角棒でもよい。
【００６９】
〔５〕上記実施形態では、第１副支持部材８０及び第２副支持部材９０が伝動ケース２１に支持される例が説明されたが、第１副支持部材８０及び第２副支持部材９０が苗植付け装置２０における他の部位に支持されてもよい。
【産業上の利用可能性】
【００７０】
本発明は、薬剤の散布を行う薬剤散布装置に限られず、肥料、除去剤等を含む農業資材を圃場に散布する任意の散布装置に適用することができる。また移植機としては、実施形態に示した乗用型田植機に限られず、歩行型田植機等の他の移植機にも適用可能である。
【符号の説明】
【００７１】
２０    ：苗植付け装置
２１    ：伝動ケース
２２ａ  ：回転ケース
２２ｂ  ：植付アーム
７０    ：主支持部材
７１    ：上端部（仮支持部位）
８０    ：第１副支持部材（副支持部材）
９０    ：第２副支持部材（副支持部材）
Ａ      ：薬剤散布装置
Ｃ      ：本体部
Ｅ      ：支持部
Ｐ１    ：第１取付部（取付部）
Ｐ２    ：第２取付部（取付部）
Ｐ３    ：第３取付部（取付部）
【図１】
2020110111.tif 000003
【図２】
2020110111.tif 000004
【図３】
2020110111.tif 000005
【図４】
2020110111.tif 000006
【図５】
2020110111.tif 000007
【図６】
2020110111.tif 000008
【図７】
2020110111.tif 000009
【図８】
2020110111.tif 000010
【図９】
2020110111.tif 000011
【図１０】
2020110111.tif 000012